(57)【要約】【課題】ナビゲーション装置のハード構成の共通化を実現し、かつ、利用者に応じてナビゲーション装置に格納されている可搬型記録媒体の出し入れを規制できる技術を提供する。【解決手段】可搬型記録媒体から読み出される地図データを用いてナビゲーション画面を表示部に表示するナビゲーション装置において、可搬型記録媒体の出し入れを制限する手段を設け、更に、本来的に割り当てられている操作部に対して、特定の操作によって制限を解除できる機能を割り当てることとした。【選択図】図２４
2010085207.tif 000002
【特許請求の範囲】
【請求項１】
可搬型記録媒体から読み出される地図情報を用いてナビゲーション画面を表示部に表示するナビゲーション装置であって、
本体部と、
前記本体部の前面に設けられ、前記ナビゲーション装置内に前記可搬型記録媒体を出し入れする媒体挿入部と、
前記本体部の前面を覆うように設けられ、かつ該本体部に対して移動可能な表示部であって、前記媒体挿入部を覆うことで該媒体挿入部をユーザが視認不可とするクローズ状態と、該挿入部をユーザが視認可能とするオープン状態とに移動可能な表示部と、
前記表示部がオープン状態に移動することを制限する制限部と、
前記制限部による制限を解除する制限解除部と、
前記ナビゲーション装置に対する操作を受け付ける操作部と、
を備え、
前記操作部は、本来的に受け付ける操作とは異なる操作を受け付け可能であり、
前記制限解除部は、前記操作部が前記本来的に受け付ける操作とは異なる操作を受け付けると、前記制限部による制限を解除する、ナビゲーション装置。
【請求項２】
前記表示部は、ユーザのタッチ操作を受け付け可能なタッチパネルを有し、
前記操作部は、前記タッチパネルに表示される操作ボタンとは異なる、前記表示部に設けられている機械的なボタンである、請求項１に記載のナビゲーション装置。
【請求項３】
前記タッチパネルには、前記表示部を前記オープン状態へ移動させるための操作を受け付けるオープン状態移行受付ボタンが表示可能であり、
前記制限部は、前記タッチパネルに表示可能である前記オープン状態移行受付ボタンの表示を制限することで、前記表示部が前記オープン状態へ移動することを制限する、請求項２に記載のナビゲーション装置。
【請求項４】
前記操作部は、前記本来的に受け付ける操作とは異なる操作として長押し操作を受け付け可能であり、
前記制限解除部は、前記操作部が長押し操作を受け付けると、前記制限部による制限を解除する、請求項１から請求項３の何れか一に記載のナビゲーション装置。
【請求項５】
前記可搬型記録媒体には、既存の地図情報が格納される第一可搬型記録媒体と、該第一可搬型記録媒体とは異なり、前記既存の地図情報とは異なる更新情報が格納される第二可搬型記録媒体と、が含まれ、
前記媒体挿入部には、前記第一可搬型記録媒体を出し入れする第一媒体挿入部と、前記第二可搬型記録媒体を出し入れする第二媒体挿入部と、が含まれ、
前記第一媒体挿入部と前記第二媒体挿入部とは、何れか一方の媒体挿入部のみが前記表示部によって覆われるように、前記本体部の前面の異なる位置に設けられ、
前記オープン状態には、前記第一媒体挿入部と前記第二媒体挿入部とのうち何れか一方の媒体挿入部のみを覆う状態としてのセミオープン状態が含まれる、請求項１から請求項４の何れか一に記載のナビゲーション装置。
【請求項６】
可搬型記録媒体に格納されている所定情報を取得する情報取得部と、
前記所定情報として、前記操作部に割り当てられている本来的に受け付ける操作とは異なる操作を変更するための割当変更情報が含まれている場合、該割当変更情報に基づいて前記異なる操作を変更する変更部を更に備える、請求項１から請求項４の何れか一に記載のナビゲーション装置。
【発明の詳細な説明】
【技術分野】
【０００１】
本発明は、ナビゲーション装置に関する。
【背景技術】
【０００２】
ナビゲーション装置は、住所、名前、電話番号等といった目的地を特定するための目的地情報と現在位置情報とに基づいて経路探索を行う。ナビゲーション装置は、通常、可搬型記録媒体へのアクセス装置を有しており、この可搬型記録媒体に格納されている地図データ、地図上の地点を示す地点情報等を読み出し、経路探索を実行する。また、ナビゲーション装置には、経路誘導するに際し、レストランのお奨め料理情報等の付帯情報を提供する装置がある。このような付帯情報は、道路等の地図データよりも頻繁に変化するため、上記記録媒体での提供以外に、最新の付帯情報を提供する手段が必要となる。例えば特許文献１では、最新の付帯情報を通信により提供するナビゲーションシステムが提案されている。
【特許文献１】特開２００４−４１０４号公報
【発明の開示】
【発明が解決しようとする課題】
【０００３】
ナビゲーション装置の利用者には、個人ユーザのみならず、不動産業者の営業、ボトリングの巡回業務、保険業務の営業など、車両を用いた商用サービスを提供する企業も含まれる。また、ナビゲーション装置の利用者には、レンタカーサービスを提供する企業も含まれる。ここで、特にレンタカーに搭載されるナビゲーション装置では、地図データが格納された可搬型記録媒体（例えば、ＤＶＤ）がユーザによって持ち帰られてしまうといったことが懸念されていた。従って、ナビゲーション装置の利用形態によっては、ナビゲーション装置に収容される可搬型記録媒体の出し入れを制限できる機能が要求される。
【０００４】
なお、ナビゲーション装置の利用者には、上述したように個人ユーザのみならず、レンタカーサービスを提供する業者等も含まれる。従って、特定の企業向けのナビゲーション装置に可搬型記録媒体の出し入れを制限できる装置等を設けることも考えられる。しかし、コスト面等を考慮すると、ナビゲーション装置は、利用者に関係なく、できる限り同様のハード構成とすることが好ましい。
【０００５】
本発明では、上記した問題に鑑み、可搬型記録媒体から読み出される地図データを用いてナビゲーション画面を表示部に表示するナビゲーション装置において、ナビゲーション装置のハード構成の共通化を実現し、かつ、利用者に応じてナビゲーション装置に格納されている可搬型記録媒体の出し入れを規制できる技術を提供することを課題とする。
【課題を解決するための手段】
【０００６】
本発明では、上述した課題を解決するために、可搬型記録媒体から読み出される地図データを用いてナビゲーション画面を表示部に表示するナビゲーション装置において、可搬型記録媒体の出し入れを制限する手段を設け、更に、本来的に割り当てられている操作部に対して、特定の操作によって制限を解除できる機能を割り当てることとした。これにより、本発明によれば、ナビゲーション装置のハード構成に変更を加えることなく、ナビゲーション装置に収容される可搬型記録媒体の持ち出しを制限することができる。
【０００７】
詳細には、本発明は、可搬型記録媒体から読み出される地図データを用いてナビゲーション画面を表示部に表示するナビゲーション装置であって、本体部と、前記本体部の前面に設けられ、前記ナビゲーション装置内に前記可搬型記録媒体を出し入れする媒体挿入部
と、前記本体部の前面を覆うように設けられ、かつ該本体部に対して移動可能な表示部であって、前記媒体挿入部を覆うことで該媒体挿入部をユーザが視認不可とするクローズ状態と、該挿入部をユーザが視認可能とするオープン状態とに移動可能な表示部と、前記表示部がオープン状態に移動することを制限する制限部と、前記制限部による制限を解除する制限解除部と、前記ナビゲーション装置に対する操作を受け付ける操作部と、を備える。そして、前記操作部は、本来的に受け付ける操作とは異なる操作を受け付け可能であり、前記制限解除部は、前記操作部が本来的に受け付ける操作とは異なる操作を受け付けると、前記制限部による制限を解除する。
【０００８】
ここで、クローズ状態とは、媒体挿入部を表示部で覆うことで媒体挿入部をユーザが視認不可とする状態、換言すると、媒体挿入部を表示部で覆うことで媒体挿入部への可搬型記録媒体の出し入れができない状態である。また、オープン状態とは、該挿入部をユーザが視認可能とする状態、換言すると媒体挿入部を覆う表示部を移動させることで視認可能とすることで媒体挿入部への可搬型記録媒体の出し入れができる状態である。ユーザとは、ナビゲーション装置の使用者、例えば、ナビゲーション装置が搭載される車両の搭乗者である。
【０００９】
本来的に受け付ける操作とは異なる操作は、通常、単押しで所定の機能を実行するように機能が割り当てられている場合に、長押しといった単押しとは異なる操作である。そして、このような操作を受け付け可能とし、かつ、この長押しに単押しの場合とは異なる機能を実行させることを意味する。本発明に係るナビゲーション装置は、レンタカーのように、ナビゲーション装置の所有者で使用者とが異なる使用態様において特に優れた効果を発揮する。レンタカーにナビゲーション装置を搭載した場合に従来懸念されていた可搬型記録媒体の盗難を防止できるからである。従って、上記本来的に割り当てられている操作とは異なる操作は、ナビゲーション装置の所有者のみが知る操作であることが好ましい。
【００１０】
ここで、上述した本発明に係るナビゲーション装置において、前記表示部は、ユーザのタッチ操作を受け付け可能なタッチパネルを有し、前記操作部は、前記タッチパネルに表示される操作ボタンとは異なる、前記表示部に設けられている機械的なボタンとしてもよい。機械的なボタンは、タッチパネルに表示される操作ボタンと異なり、例えば電源を投入しなくても操作することができる。従って、可搬型記録媒体の取り出しを制限しつつ、仮に取り出す際には、取り出す際の操作の手間を最小限にすることができる。
【００１１】
また、前記タッチパネルには、前記表示部を前記オープン状態へ移動させるための操作を受け付けるオープン状態移行受付ボタンが表示可能としてもよい。そして、前記制限部は、前記タッチパネルに表示可能である前記オープン状態移行受付ボタンの表示を制限することで、該表示部が前記オープン状態へ移動することを制限するようにしてもよい。これにより、ナビゲーション装置のハード構成の共通化を図ると共に、可搬型記録媒体の取り出しを制限することができる。
【００１２】
また、本発明に係るナビゲーション装置において、前記可搬型記録媒には、既存の地図情報が格納される第一可搬型記録媒体と、該第一可搬型記録媒体とは異なり、前記既存の地図情報とは異なる更新情報が格納される第二可搬型記録媒体と、が含まれてもよい。また、前記媒体挿入部には、前記第一可搬型記録媒体を出し入れする第一媒体挿入部と、前記第二可搬型記録媒体を出し入れする第二媒体挿入部と、が含まれてもよい。そして、前記第一媒体挿入部と前記第二媒体挿入部とは、何れか一方の媒体挿入部のみが前記表示部によって覆われるように、前記本体部の前面の異なる位置に設けてもよい。前記オープン状態には、前記第一媒体挿入部と前記第二媒体挿入部のうち何れか一方の媒体挿入部のみを覆う状態としてのセミオープン状態が含まれるようにしてもよい。これにより、例えば用途が異なる可搬型記録媒体をナビゲーション装置に接続可能な場合において、一方の可
搬型記録媒体のみ可搬型記録媒体の取り出しを制限することができる。
【００１３】
更に、本発明に係るナビゲーション装置において、可搬型記録媒体に格納されている所定情報を読取可能な情報取得部と、前記所定情報として、前記操作部に割り当てられている、本来的に受け付ける操作とは異なる操作を変更する割当変更情報が含まれている場合、割当変更情報に基づいて前記異なる操作を変更する変更部を更に備える構成としてもよい。これにより、必要に応じて、かつ、容易に異なる操作を変更することが可能となり、その結果、より確実に可搬型記録媒体の盗難を抑制することができる。
【００１４】
更に、本発明は、上述したナビゲーション装置で実行される処理を実現させる方法、又はプログラムであってもよい。更に、本発明は、そのようなプログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００１５】
本発明によれば、可搬型記録媒体から読み出される地図データを用いてナビゲーション画面を表示部に表示するナビゲーション装置において、ナビゲーション装置のハード構成の共通化を実現し、かつ、利用者に応じてナビゲーション装置に格納されている可搬型記録媒体の出し入れを規制できる技術を提供することができる。
【発明を実施するための最良の形態】
【００１６】
以下、本発明の一実施形態としてのカーナビゲーション装置について具体例を挙げ説明する。ナビゲーション装置１は、搭載される車輌を限定するものではないが、以下には、レンタカー会社により提供されるレンタカーに搭載される場合を例に挙げる。レンタカー会社を例に挙げるのは、カーナビゲーション装置の機能をカスタマイズしたいという要求が強いからである。本発明は以下の各実施例の構成に限定されない。
【００１７】
〔装置構成〕
図１は、ナビゲーション装置１の外観図である。ナビゲーション装置１は、２ＤＩＮ（Ｄｅｕｔｓｃｈｅ  Ｉｎｄｕｓｔｒｉｅ  Ｎｏｒｍｅｎ）の本体・モニタ一体型カーナビゲーション装置であり、車両の現在地や目的地までの経路の案内等を行うカーナビゲーション機能や、各種オーディオ／ビジュアル（以下、ＡＶという）コンテンツの再生機能、放送波を受信する機能等を有している。ナビゲーション装置１は、運転席や助手席の乗員の手が届きやすいダッシュボードの中央付近に設置された状態で使用されるものであり、メインユニット２とディスプレイユニット３とで構成されている。ナビゲーション装置としては、例えば富士通テン株式会社のＡＶＮ（登録商標。Ａｕｄｉｏ  Ｖｉｓｕａｌ  Ｎａｖｉｇａｔｉｏｎ）等の車載用ナビゲーション装置がある。
【００１８】
図２は、ナビゲーション装置１の構成図である。メインユニット２は、電子部品類で構成されており、ブレーキ検知部４、リバース検知部５、携帯式プレーヤインターフェース６、放送波受信部７、外部音声／映像入力部８、ＧＰＳ情報受信部９、車速検知部１０、カメラ映像入力部１１、アンプ１２、開閉制御部１３Ａ、角度制御部１３Ｂ、角度センサ１４、モータ１５、ＣＤドライブ１６、カードメモリインターフェース１７、リセットボタン１８、ジャイロセンサ１９、制御部２０が内蔵されている。ディスプレイユニット３は、主に、車両の乗員に対して各種の情報を映像で表示するとともに、ユーザ操作を受け付ける役割を司るデバイス類で構成されており、タッチパネル２１、表示処理部２２、操作受付部２３、操作ボタン２４、赤外線受／発光部２５を内蔵している。
【００１９】
以下、メインユニット２の構成について説明する。ブレーキ検知部４は、車両のパーキングブレーキがかけられているか否かを検知し、これを制御部２０に通知する。ブレーキ検知部４は、パーキングブレーキレバー（あるいはペダル）の動きと連動してオンオフするスイッチの通電状態により、ブレーキの状態を検知する。ブレーキ検知部４は、このスイッチの通電状態を、端子２６Ａを介して電気的に検知する。
【００２０】
リバース検知部５は、車両の変速レバーがリバース（後進）になっているか否かを検知し、これを制御部２０に通知する。リバース検知部５は、変速レバーと連動して動くスイッチのオンオフにより、変速レバーの状態を検知する。リバース検知部５は、このスイッチの通電状態を、端子２６Ｂを介して電気的に検知する。
【００２１】
携帯式プレーヤインターフェース６は、音楽等を再生する携帯式のプレーヤ（例えば、ｉＰｏｄ（登録商標））と双方向通信を行うためのインターフェースである。携帯式プレーヤインターフェース６は、このような携帯式のプレーヤが外部接続されると双方向通信を開始し、プレーヤから送られるオーディオ信号を制御部２０へ送り、制御部２０から送られる再生開始や曲送り等の制御信号をプレーヤへ送る。携帯式プレーヤインターフェース６は、端子２６Ｃに接続されるコードを介してプレーヤと通信を行う。
【００２２】
放送波受信部７は、ＡＭチューナ（ＡＭ：Ａｍｐｌｉｔｕｄｅ  Ｍｏｄｕｌａｔｉｏｎ）、及びＦＭチューナ（ＦＭ：Ｆｒｅｑｕｅｎｃｙ  Ｍｏｄｕｌａｔｉｏｎ）で構成される回路である。放送波受信部７は、制御部２０からの制御信号に応じてチューナの受信状態を制御し、端子２６Ｄに接続されるアンテナが受信した電波の信号を制御部２０へ送る。なお、放送波受信部７は、ワンセグチューナ（「ワンセグ」は商標登録出願中）を含んでいてもよい。
【００２３】
外部音声／映像入力部８は、端子２６Ｅに接続されるビデオ／オーディオ機器からのコンポジット映像信号や音声信号を受け付け、これを制御部２０へ送る回路である。
【００２４】
ＧＰＳ情報受信部９（ＧＰＳ：Ｇｌｏｂａｌ  Ｐｏｓｉｔｉｏｎｉｎｇ  Ｓｙｓｔｅｍ）は、端子２６Ｆに接続されるＧＰＳアンテナが受信したＧＰＳ衛星からの電波の信号を受信し、受信した信号を制御部２０へ送る。周知のように、ＧＰＳは、地球を周回する多数のＧＰＳ衛星のうち少なくとも３つ以上の衛星からの電波に基づいて車両の位置を測位するシステムである。ＧＰＳ情報受信部９は、地球を周回するこれらＧＰＳ衛星の電波の信号を処理する。ＧＰＳ情報受信部９によって受信されたＧＰＳ衛星からの信号は、カーナビゲーションに用いられる。
【００２５】
車速検知部１０は、車軸の回転角に応じて発生する車速パルス信号を検知し、これを制御部２０へ送る回路である。車速検知部１０が検知する車速パルス信号は、車両のエンジンやブレーキを制御する電子制御ユニットから出力されるステップ状の車速パルス信号であり、単位時間当たりのパルス数から車両速度を割り出す際に用いられる。単位時間当たりのパルス数が増えていれば車両が加速しており、減っていれば車両が減速していることになる。車両の速度と車速パルスとの相関関係は、車両を製造するメーカや車種、装着される車輪の大きさや空気圧等に応じて変化する。このため、制御部２０では、ＧＰＳによる測位結果に基づいて算出される車両の移動距離とその間を走行する間に検知されたパルス数との相関から、車両の速度と車速パルスとの相関関係が適宜更新される。車速検知部１０は、電子制御ユニットから出力される車速パルス信号を、端子２６Ｇを介して電気的に検知する。
【００２６】
カメラ映像入力部１１は、車両の後方を撮影するビデオカメラであるバックアイカメラ
からの映像信号を受け付け、制御部２０へ送る回路である。すなわち、カメラ映像入力部１１は、リバース検知部５が車両のリバースを検知した際、端子２６Ｈに接続されているビデオカメラからの映像信号を制御部２０へ送る。
【００２７】
アンプ１２は、制御部２０から車室内に設置されるスピーカへ送られる音声信号を増幅する回路である。アンプ１２は、制御部２０からの制御信号に応じて増幅率を任意に変更可能である。
【００２８】
開閉制御部１３Ａは、ディスプレイユニット３の開閉動作を行う回路である。開閉制御部１３Ａは、制御部２０からの制御信号に応じてモータ１５を制御したり、角度センサ１４からの信号を処理したりすることにより、ディスプレイユニット３を開閉する。図３は、制御部２０からの制御信号を受けた開閉制御部１３Ａがモータ１５を制御することにより実現するディスプレイユニット３の開閉動作を示したものである。開閉制御部１３Ａは、図３に示すように、ディスプレイユニット３の姿勢を三段階に調整することが可能であり、ＣＤドライブ１６（ＣＤ：Ｃｏｍｐａｃｔ  Ｄｉｓｃ）の挿入口を閉じた「クローズ」状態、ＣＤドライブ１６のＣＤ挿入口２７を開いた「セミオープン」状態、及びカードメモリインターフェース１７のカード挿入口２８やリセットボタン１８を開いた「フルオープン」状態を実現する。ディスプレイユニット３の姿勢が「クローズ」状態の場合、ＣＤ挿入口２７やカード挿入口２８、リセットボタン１８はディスプレイユニット３に隠れた状態である。また、ディスプレイユニット３の姿勢が「セミオープン」状態の場合、カード挿入口２８やリセットボタン１８がディスプレイユニット３に隠れ、ＣＤ挿入口２７がナビゲーション装置１の正面からアクセス可能な状態になる。また、ディスプレイユニット３の姿勢が「フルオープン」状態の場合、ＣＤ挿入口２７、カード挿入口２８、及びリセットボタン１８がナビゲーション装置１の正面からアクセス可能な状態になる。
【００２９】
本実施形態に係るナビゲーション装置１では、上記「クローズ」状態、「セミオープン」状態、「オープン」状態への移行が制御部２０及び開閉制御部１３Ａによって制御される。
【００３０】
角度制御部１３Ｂは、ディスプレイユニット３の角度調整を行う回路である。角度制御部１３Ｂは、開閉制御部１３Ａと同様、制御部２０からの制御信号に応じてモータ１５を制御したり、角度センサ１４からの信号を処理したりすることにより、ディスプレイユニット３の角度を調整する。なお、ディスプレイユニット３の角度とは、ナビゲーション装置１の左右方向に伸びる軸を中心とする、メインユニット２の正面とディスプレイユニット３の正面（すなわち、タッチパネル２１の表面）との相対的な角度である。角度制御部１３Ｂは、ディスプレイユニット３の仰角を多段階に調整してチルトアップすることが可能である。
【００３１】
角度センサ１４は、ディスプレイユニット３の角度を検知するセンサであり、検知した角度を電気信号で開閉制御部１３Ａへ通知する。モータ１５は、ディスプレイユニット３の角度を調整するモータであり、ディスプレイユニット３の上端を上下に動かしたり、ディスプレイユニット３の下端を前後に動かしたりする。開閉制御部１３Ａおよび角度制御部１３Ｂは、制御部２０からの制御信号を受けると、角度センサ１４で検知されるディスプレイユニット３の角度と制御信号に基づいて決定される角度の目標値との差を割り出し、角度センサ１４で検知されるディスプレイユニット３の角度が制御目標値と一致するようにモータ１５をフィードバック制御する。
【００３２】
ＣＤドライブ１６は、音楽等のオーディオコンテンツが記録されたＣＤを読み取って再生する光ディスク読取装置であり、光ピックアップレンズや発光素子、ディスク駆動モータ等で構成されている。
【００３３】
カードメモリインターフェース１７は、不揮発性の半導体メモリカードを読み書きするメモリカードリーダライタである。制御部２０は、カードメモリインターフェース１７に挿入されるメモリカードにアクセスし、このメモリカードに記録されているデータを取得することでカーナビゲーションのルート検索等の諸機能を実現する。
【００３４】
メモリカードは、４ＧＢ程度の記憶容量を持ち、標準データを格納する標準記憶エリアと一般ユーザにより変更可能なアプリケーションデータを格納するカスタマイズ記憶エリアとに区分け管理される。標準記憶エリアには、高速道路や一般道等の道路情報、テーマパーク、ガソリンスタンドといった各種施設に関する地点情報（以降、ＰＯＩデータとも表記）等を含む地図データ、ルートガイダンスのための音声データ、電話番号や施設名称や住所等の各種施設に関する詳細情報（以降、ＰＯＩ詳細データとも表記する）等が記録されている。ＰＯＩ詳細データには、各ＰＯＩのアイコンデータも含む。ＰＯＩデータ及びＰＯＩ詳細データが本発明の地図データに相当する。一方、カスタマイズ記憶エリアには、アプリケーションデータが格納される。アプリケーションデータには、オープニング画面データ、利用規約データ、お知らせデータ、ＰＯＩデータ等が含まれる。以降、アプリケーションデータに含まれるオープニング画面データ及びＰＯＩデータをそれぞれ更新オープニング画面データ、追加ＰＯＩデータと表記する。追加ＰＯＩデータには、標準記憶エリアに格納されるＰＯＩデータ及びＰＯＩ詳細データと同種のデータが含まれる。これらアプリケーションデータに含まれる各データは、それぞれ所定のフォーマットで個々のファイルに分けられることで識別されてもよいし、１つのファイルに複数のデータが格納されるようにして所定オフセットで識別されるようにしてもよい。
【００３５】
カスタマイズ記憶エリアに格納されるアプリケーションデータは、パーソナルコンピュータ等のコンピュータ上で実行される専用アプリケーションにより生成及び編集することができる。例えば、レンタカー会社の担当者は、上記専用アプリケーションを用いてアプリケーションデータを編集し、このアプリケーションデータをメモリカードに格納した後、カードメモリインターフェース１７のカード挿入口２８へ当該メモリカードを挿入する。各アプリケーションデータの用いられ方については後述する。なお、標準記憶エリアに格納されるデータは、レンタカー会社等のユーザによる変更が許可されていない。
【００３６】
ジャイロセンサ１９は、メインユニット２に内蔵される２軸ジャイロセンサである。ジャイロセンサ１９は、ＧＰＳ衛星からの電波をＧＰＳ情報受信部９が受信できない時でも車両の測位を可能にするためのものである。なお、ＧＰＳ衛星からの電波を受信できない時の車両の位置は、制御部２０により、車速検知部１０が検知する車両速度とジャイロセンサ１９が検知する車両の進行方向とに基づいて算出される。
【００３７】
制御部２０は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、入出力インターフェース等で構成されている。制御部２０は、車両のアクセサリー電源がオンになると、ＲＯＭに記録されたコンピュータプログラムを実行し、カードメモリインターフェース１７に挿入されたメモリカードのデータやＲＡＭに格納されているデータ等を使って各種機能を実現する。制御部２０が実現する各種機能の詳細については後述する。
【００３８】
次に、ディスプレイユニット３を構成する各構成要素について説明する。タッチパネル２１は、カラー液晶ディスプレイとタッチセンサとを組み合わせたＧＵＩ（Ｇｒａｐｈｉｃａｌ  Ｕｓｅｒ  Ｉｎｔｅｒｆａｃｅ）であり、７．０インチのＥＧＡ（Ｅｎｈａｎｃｅｄ  Ｇｒａｐｈｉｃｓ  Ａｄａｐｔｅｒ）型液晶ディスプレイで画面を表示すると共に、画面に表示されたアイコン等が押されるとタッチセンサがこれを検知する。
【００３９】
表示処理部２２は、タッチパネル２１の液晶ディスプレイに表示する画面を描画処理する回路である。表示処理部２２は、制御部２０から送られる映像信号に基づき、液晶ディスプレイに格子状に均等配列された薄膜トランジスタを駆動することで、タッチパネル２１の画面を描画する。
【００４０】
操作受付部２３は、タッチパネル２１へのタッチ操作をタッチセンサが感知すると、タッチされた画面上の位置を特定し、操作された位置の情報を制御部２０へ送る。
【００４１】
操作ボタン２４は、タッチパネル２１にアイコン表示されるボタンではなく、機械的なボタンであり、図１等に示すように、タッチパネル２１の下に配置される操作用の押しボタン式スイッチである。操作ボタン２４は、ディスプレイユニット３の左側から順に、開閉ボタン２４ａ、現在地ボタン２４ｂ、音量調整ボタン２４ｃで構成されている。音量調整ボタンは、右側が押されると音量アップ、左側が押されると音量ダウンになるように設定されている。これらのボタンが押されると、押されたボタンの信号が制御部２０へ送られる。
【００４２】
また、本実施形態に係るナビゲーション装置１では、開閉ボタン２４ａを押すことで表示される開閉操作画面におけるフルオープンの操作が制限されている（図２６Ａ、２６Ｂ参照）。そして、新たな機能として、開閉ボタン２ａの長押しには、「フルオープン」状態とする機能が割り当てられている。なお、各状態への移行処理については、後述する。
【００４３】
赤外線受／発光部２５は、ナビゲーション装置１と携帯電話とが赤外線で双方向通信を行うためのインターフェースであり、電気で赤外線を発光する発光素子と、受光した赤外線を電気にする受光素子で構成されている。赤外線受／発光部２５は、制御部２０から送られる制御信号やデータを携帯電話へ送るとともに、携帯電話から送られる制御信号やデータを制御部２０へ送る。
【００４４】
次に、メインユニット２の制御部が実現する各種諸機能について詳述する。図４は、制御部２０が実現する各種機能部を図示した機能ブロック図である。車両のアクセサリー電源がオンになると、制御部２０は、図４に示すような、初期処理機能部５０、操作処理機能部５１、測位機能部５２、ルート案内機能部５３、地図データ処理機能部５４、ユーザデータ処理機能部５５、音声処理機能部５６、及び映像処理機能部５７等を実現するコンピュータプログラムを実行する。
【００４５】
初期処理機能部５０は、ナビゲーション装置１の初期化処理を実行する。初期処理機能部５０は、初期化処理として、例えば、ナビゲーション装置１のハードウェア異常をチェックする。初期処理機能部５０は、ハードウェア異常を検知すると、この異常状態を示すコーション画面を表示するよう制御する。初期処理機能部５０は、初期化処理を継続しながら、オープニング画面を表示するように制御する。初期処理機能部５０は、初期化処理が完了すると、オープニング画面を閉じ、映像処理機能部５７に所定の画面を表示するように指示する。
【００４６】
操作処理機能部５１は、各種機能部の動作を制御するための操作画面を、映像処理機能部５７を介してタッチパネル２１に表示したり、操作受付部２３や操作ボタン２４、リセットボタン１８からの操作信号を処理し、各種機能部の動作を制御したりする。
【００４７】
また、操作処理機能部５１は、本発明の制限部、制限解除部の機能を担う。すなわち、操作処理機能部５１は、タッチパネルに表示される開閉操作画面における本来的な機能（「フルオープン」状態への移行）を制限し、開閉ボタン２４ａが長押しされると、「フル
オープン」状態へ移行させる。
【００４８】
測位機能部５２は、車両のアクセサリー電源がオンになると、ＧＰＳ情報受信部９から送られる衛星からの電波の情報、車速検知部１０から通知される車両速度の情報、及びジャイロセンサ１９から送られる角速度の情報に基づいて車両の位置（緯度と経度）を測位する。
【００４９】
ルート案内機能部５３は、車両の現在地からユーザが設定した目的地までのルートを索出し、ルート案内を行う機能部である。ルート案内機能部５３は、測位機能部５２が測位した車両の位置から目的地までの走行ルートを、カードメモリインターフェース１７に挿入されるメモリカードの地図データから索出する。ルート案内機能部５３は、索出した走行ルートと車両の位置との関係から車両の進路を決定し、この決定された進路に基づいてルートガイダンスのための音声データや地図画像データがメモリカードから読み出される。ルート案内機能部５３は、このように読み出された音声データを音声処理機能部５６に送り、地図画像データを映像処理機能部５７に送ることにより、音声及び映像によりルート案内を行う。
【００５０】
地図データ処理機能部５４は、メモリカードの標準記憶エリアから読み出される地図データやルート案内機能部５３が索出した走行ルートのデータ、放送波受信部７を介してＦＭ放送波から取得されるＶＩＣＳ（登録商標）の道路交通情報のデータ、測位機能部５２が測位した車両の位置データ等に基づき、タッチパネル２１に表示する地図のグラフィックデータを生成する。
【００５１】
ユーザデータ処理機能部５５は、ユーザが登録しようとする地点情報（例えば、返却場所の位置情報等）やルート検索の履歴情報、アイコンの表示非表示等の設定情報をＲＡＭで保持したり、ＲＡＭから読み出したりする。
【００５２】
音声処理機能部５６は、アンプ１２を介してスピーカから出力する音声の信号を処理する機能部である。すなわち、音声処理機能部５６は、放送波受信部７が受信したラジオ放送、携帯式プレーヤインターフェース６がプレーヤから取得するオーディオ信号、ＣＤドライブ１６が再生するオーディオ信号をアンプ１２へ送ったり、これらのオーディオ信号にルート案内機能部５３からのルートガイダンスの音声信号を重畳し、アンプ１２へ送ったりする。
【００５３】
映像処理機能部５７は、タッチパネル２１に表示させる映像データを生成する機能部である。すなわち、映像処理機能部５７は、操作処理機能部５１が生成する操作画面のデータと、地図データ処理機能部５４が生成する表示用地図の画面のデータとを重畳して表示処理部２２へ送ったり、放送波受信部７が受信したテレビジョン放送の映像データを表示処理部２２へ送ったり、或いはリバース検知部５による車両後退の検知に連動してカメラ映像入力部１１からの映像信号を表示処理部２２へ送ったりする。なお、映像処理機能部５７は、テレビジョン放送の映像データを表示処理部２２へ送っている際にブレーキ検知部４がパーキングブレーキの解除を検知すると、映像データの通知を止める。
【００５４】
〔動作例〕
以下、ナビゲーション装置１の動作例について説明する。
〈起動時〉
まず、ナビゲーション装置１の起動時の動作について図５を用いて説明する。図５は、ナビゲーション装置１の起動時の処理を示すフローチャートである。車両のアクセサリー電源がオンになり、ナビゲーション装置１に電力が供給されると、制御部２０は、ＲＯＭに格納されているコンピュータプログラムを実行する。このコンピュータプログラムが実
行されることにより、図４に示す各機能部がそれぞれ実現される。各機能部のうち、まず、初期処理機能部５０が動作する。
【００５５】
初期処理機能部５０は、初期化処理の一部としてカードメモリインターフェース１７が正常に動作していることを確認すると、そのカードメモリインターフェース１７にメモリカードが挿入されているか否かを確認する（Ｓ６１）。この確認は、例えば、メモリカード内の標準記憶エリアにアクセス可能か否かで判断される。初期処理機能部５０は、メモリカードが挿入されていないと判断すると（Ｓ６１；ＮＯ）、その旨を示すコーション画面を表示する（Ｓ６３）。メモリカードには地図データ等が格納されているため、メモリカードが挿入されていない場合、ナビゲーション装置１はナビゲーション機能を実行することができない。初期処理機能部５０は、このコーション画面によってメモリカードが挿入されていないことを注意喚起する。コーション画面は、予めＲＯＭに格納される画面データが初期処理機能部５０により読み出され、その画面データが映像処理機能部５７に送られることによりタッチパネル２１に表示される。
【００５６】
初期処理機能部５０は、メモリカードが挿入されていると判断すると（Ｓ６１；ＹＥＳ）、メモリカードのカスタマイズ記憶エリアに更新オープニング画面データが格納されているか否かを確認する（Ｓ６２）。初期処理機能部５０は、メモリカードに更新オープニング画面データが格納されていると判断すると（Ｓ６２；ＹＥＳ）、その更新オープニング画面データをメモリカードから読み出す（Ｓ６４）。一方、初期処理機能部５０は、メモリカードに更新オープニング画面データが格納されていないと判断すると（Ｓ６２；ＮＯ）、予めＲＯＭに格納されている既存のオープニング画面データを取得する（Ｓ６５）。初期処理機能部５０は、取得された更新オープニング画面データ又は既存のオープニング画面データを映像処理機能部５７に送ることにより、オープニング画面をタッチパネル２１に表示させる。すなわち、初期処理機能部５０は、メモリカードから更新オープニング画像データを取得することができた場合には、この更新オープニング画像データに基づいてオープニング画面を表示させ、更新オープニング画像データを取得することができなかった場合には、既存のオープニング画像データに基づいてオープニング画面を表示させる。
【００５７】
図６は、既存オープニング画面が更新オープニング画面に変更される概念を示す図である。Ｄ１００（１）が既存オープニング画面データに基づいて表示される既存オープニング画面であり、例えば、ナビゲーション装置１の製品名称が表示される。Ｄ１００（２）は、更新オープニング画面データに基づいて表示される更新オープニング画面である。図６の例のように、ナビゲーション装置１を搭載するレンタカー会社は、Ｄ１００（２）のような自社名を強調するオープニング画面に変更したいと望む。このような場合、レンタカー会社の担当者は、Ｄ１００（２）のための更新オープニング画面データをパーソナルコンピュータ上で生成し、この生成されたデータをメモリカードに格納することで、所望のオープニング画面に変更することができる。ナビゲーション装置１が個人所有車や営業車輌に搭載される場合にも、同様に、好みの更新オープニング画面データを表示させるようにしてもよい。
【００５８】
ここで、更新オープニング画面データの構成について説明する。例えば、更新オープニング画面データは、図６に示すように、中央部に表示される画像データ（Ｄ１００（２）−１）と、その周辺に表示される背景データ（Ｄ１００（２）−２）とから構成される。画像データ（１００（２）−１）は、ビットマップファイルとして生成され、背景データ（Ｄ１００（２）−２）は、ＲＧＢ色モデルのＲ値、Ｇ値、Ｂ値をそれぞれ格納するバイナリファイルとして生成される。画像データ（１００（２）−１）は、ビットマップ形式に限られず、ＰＮＧ（Portable Network Graphics）形式、ＧＩＦ（Graphic Interchange
Format）形式、ＪＰＥＧ（Joint Photographic Experts Group）形式等で生成されても
よい。背景データ（Ｄ１００（２）−２）は、ＲＧＢ色モデルに限られず、ＣＭＹＫ色モデルが利用されてもよい。このように、更新オープニング画面データは、全表示サイズよりも小さい画像を格納する画像データ（Ｄ１００（２）−１）と、その周辺の背景の色指定データ（Ｄ１００（２）−２）とで構成される。画像データの画像サイズは、メモリカードの容量が考慮されて決められる。背景データで指定される色は、単色又は所定の数で構成される。このような構成とすることにより、更新オープニング画面データのトータルデータサイズを小さくすることができ、データ容量が制限されるメモリカードにも格納可能となる。なお、データ容量の大きいメモリカードを利用することができる場合には、画像データＤ１００（２）−１のみで更新オープニング画面データを構成するようにしてもよい。
【００５９】
続いて、初期処理機能部５０は、メモリカード内のカスタマイズ記憶エリアに格納される他のアプリケーションデータを読み出す（Ｓ６７）。読み出されるアプリケーションデータには、利用規約データ、お知らせデータ、追加ＰＯＩデータ等が含まれる。これら読み出されるデータは、レンタカー会社等のユーザにより生成されたデータであるため、個人情報保護の観点から暗号化されていてもよい。上記更新オープニング画面データも同様に暗号化されていてもよい。初期処理機能部５０は、読み出されたデータが暗号化されている場合には、そのデータを所定の手法により復号する（Ｓ６８）。暗号化手法及び復号手法は公知の技術が利用されればよいため、ここでは説明を省略する。初期処理機能部５０は、メモリカードから読み出され、必要に応じて復号処理されたアプリケーションデータをＲＡＭに保持しておく。
【００６０】
初期処理機能部５０は、オープニング画面を表示しながら上述のような処理を含む所定の初期化処理を実行する。オープニング画面が表示されている間、制御部２０の他の各機能部では、次のような処理が実行される。操作処理機能部５１は、操作受付部２３や操作ボタン２４、リセットボタン１８からの信号を走査してユーザ操作を受け付ける。測位機能部５２は、ＧＰＳ情報受信部９で取得される測位情報や車速検知部１０、ジャイロセンサ１９の信号を処理し、車両の位置を測定する。地図データ処理機能部５４は、カードメモリインターフェース１７に挿入されているメモリカードへアクセスし、測位機能部５２が測位した自車位置の周辺の地図データを読み出す。初期処理機能部５０は、所定の初期化処理を完了するか又はオープニング画面を表示させてから所定の時間が経過するとオープニング画面を閉じるように映像処理機能部５７に指示する。これにより、オープニング画面は、ナビゲーション装置１が起動されてから数秒間表示される。
【００６１】
続いて、初期処理機能部５０は、メモリカードに格納されるアプリケーションデータに利用規約データが含まれているか否かを確認する（Ｓ６９）。初期処理機能部５０は、利用規約データが含まれていると判断すると（Ｓ６９；ＹＥＳ）、この利用規約データを映像処理機能部５７に送ることによりオープニング画面の次に利用規約画面を表示させる（Ｓ７０）。初期処理機能部５０は、アプリケーションデータに利用規約データが含まれていない場合には（Ｓ６９；ＮＯ）、利用規約画面を表示させない。
【００６２】
図７は、利用規約画面の例を示す図である。このような画面を表示させることにより、ナビゲーション装置１を搭載するレンタカー会社は、レンタカー利用者にナビゲーション装置１の利用前にこの利用規約を再認識させることができる。利用規約画面（Ｄ１０１）において同意操作が行われると、この利用規約画面（Ｄ１０１）は閉じられる。利用規約画面（Ｄ１０１）は、初期処理機能部５０によりメモリカードから取得され保持されている利用規約データに基づいて生成される。利用規約データは、利用規約画面に表示される文字列情報を含むテキストファイルとして生成される。レンタカー会社の担当者は、利用規約画面に表示させたい文字列を含む利用規約データをパーソナルコンピュータ等により生成し、この生成されたデータをメモリカードに格納することで、所望の利用規約画面を
表示させることができる。逆に、利用規約画面を表示させる必要のない場合には、利用規約データをメモリカードに格納しなければよい。
【００６３】
初期処理機能部５０は、利用規約画面（Ｄ１０１）が閉じられると、映像処理機能部５７にＡＶの操作画面とナビの操作画面とを組み合わせたマルチ画面をタッチパネル２１に表示するように指示する（Ｓ７１）。
【００６４】
このように、ナビゲーション装置１によれば、装置として予め設けられたオープニング画面であっても、ユーザは、ナビゲーション装置１の用途に応じて、そのオープニング画面をカスタマイズすることができる。オープニング画面は、装置起動時に最初に表示される画面であるため注目度が高い。従って、上述のようにオープニング画面がカスタマイズ可能とされることは利便性が向上するためユーザにとって魅力的である。更に、ナビゲーション装置１によれば、上記利用規約画面のような、装置として提供されていない新たな画面をユーザに追加させることを可能とする。この場合、ユーザはテキストデータをメモリカード内に格納するだけでよいため、簡単にその新たな画面を追加することができる。
【００６５】
〈ナビゲーションメイン画面表示時〉
上述のような初期処理機能部５０による起動時処理（初期処理）が完了すると、以下に示すナビゲーション機能を実現する各メイン画面が表示される。図８は、ナビゲーション装置１のメイン画面の画面遷移図である。マルチ画面（Ｄ１０２）、ナビ全画面（Ｄ１０３）、オーディオ全画面（Ｄ１０４）がナビゲーション装置１のナビゲーション機能を実現するメイン画面である。以降、図８から１０を用いて、これらメイン画面に関連するナビゲーション装置１の動作について説明する。図９はナビに関する画面遷移図である。図１０はＡＶ画面の表示モードを示した図である。
【００６６】
映像処理機能部５７は、初期処理機能部５０からマルチ画面の表示指示を受けると、ＲＯＭに格納されている操作ボタン類の画像データや地図データ処理機能部５４が読み出した地図データを基に、ＡＶの操作画面とナビの操作画面とを組み合わせたマルチ画面（Ｄ１０２）を生成し、このマルチ画面をタッチパネル２１に表示させる。図１１は、マルチ画面の例を示す図である。映像処理機能部５７は、図１１に示すように、ＡＶ類の操作ボタン類を配置したＡＶ領域の画面をタッチパネル２１の左側に表示し、ナビの地図や操作ボタン類を配置したナビ領域の画面をタッチパネル２１の右側に表示させる。
【００６７】
図１１に示すように、映像処理機能部５７は、ＡＶ領域に、「ラジオ」、「ＣＤ」、「ｉＰｏｄ」、「外部入力」、「ＯＦＦ」、及び「ＡＶ」ボタンを表示させる。図１１の例では、「ラジオ」が選択されており、受信周波数やＡＭ／ＦＭの切り替えボタン、選局ボタン等が表示されている状態を図示している。従って、このとき、音声処理機能部５６は、放送波受信部７が受信したＡＭ放送の音声信号を、アンプ１２を介してスピーカから出力させている。なお、放送波受信部７にワンセグチューナが含まれている場合には、ＡＶ領域に、「ワンセグ」ボタンを表示するようにしてもよい。他方、映像処理機能部５７は、ナビ領域に、地図データ処理機能部５４が読み出した地図データに基づいて描画される地図の他、「メニュー」、「目的地」、「周辺」、「返却場所」、「ナビ」、「地図拡大」、及び「地図縮小」ボタンを表示させる。
【００６８】
図１２は、ナビ全画面の例を示す図である。映像処理機能部５７は、マルチ画面（Ｄ１０２）に表示されている「ナビ」ボタンが押されたことを操作処理機能部５１が検知すると、ＡＶ領域を徐々に隠し、ナビ領域を全画面に表示させる。映像処理機能部５７は、図１２に示すように、ＡＶ領域を消し、ナビ領域をタッチパネル２１に全画面表示させる。
【００６９】
ナビ領域には、マルチ画面（Ｄ１０２）と同様、地図や、「メニュー」、「目的地」等
の操作ボタンが表示されている。ここで、映像処理機能部５７は、ナビ全画面に表示される自車位置のアイコンが、ナビ領域の中心に位置するように画面を表示している。このため、タッチパネル２１の表示画面がマルチ画面（Ｄ１０２）からナビ全画面（Ｄ１０３）に遷移すると、自車位置のアイコンや地図の表示が、画面内で若干スクロールする。一方、映像処理機能部５７は、「メニュー」や「目的地」等の操作ボタン類がタッチパネル２１の表示画面上で同じ位置になるように画面を表示させる。このため、タッチパネル２１の表示画面がマルチ画面（Ｄ１０２）からナビ全画面（Ｄ１０３）に遷移しても、ナビの操作ボタン類がタッチパネル２１の画面上でスクロールせず、同じ位置に表示され続ける。「ＡＶ＋ナビ」ボタンが押されると、映像処理機能部５７は、ナビ全画面（Ｄ１０３）からマルチ画面（Ｄ１０２）へ表示を切り替える。
【００７０】
図１３は、ＡＶ全画面の例を示す図である。映像処理機能部５７は、マルチ画面（Ｄ１０２）に表示されている「ＡＶ」ボタンが押されたことを操作処理機能部５１が検知すると、ナビ領域を徐々に隠し、ＡＶ領域を全画面に表示させる。映像処理機能部５７は、図１３に示すように、ナビ領域を消し、ＡＶ領域をタッチパネル２１に全画面表示させる。
【００７１】
ＡＶ領域には、マルチ画面（Ｄ１０２）と同様、「ラジオ」、「ＣＤ」、「ｉＰｏｄ」、「外部入力」、及び「ＯＦＦ」ボタンが表示されている。また、ＡＶ領域には、マルチ画面（Ｄ１０２）で表示されていなかった放送局の名称やプリセットの選局ボタン、チャンネル設定ボタンや音設定ボタンが表示されている。また、ＣＤドライブ１６にＣＤが挿入されていることを示す「ＣＤＩＮ」が表示されている。ここで、ＡＶ領域には、マルチ画面（Ｄ１０２）で表示されていた「ラジオ」等の操作ボタン類が同じ位置に表示されている。以下、マルチ画面（Ｄ１０２）とＡＶ全画面（Ｄ１０４）の両方で表示される領域を「ＡＶ通常領域」といい、ＡＶ全画面（Ｄ１０４）でのみ表示される領域を「ＡＶ拡張領域」という。「ＡＶ＋ナビ」ボタンが押されると、映像処理機能部５７は、ＡＶ全画面（Ｄ１０４）からマルチ画面（Ｄ１０２）へ表示を切り替える。
【００７２】
図１４は、メイン画面の画面遷移の様子を示した概念図である。ユーザは、図１４に示すように、表示窓から覗き込むと見える右側の面（本実施形態でいうナビ画面に相当する）の上に、左側の面（本実施形態でいうＡＶ画面に相当する）が左側から抜き差しされるようなイメージで、ナビゲーション装置１のメイン画面を操作できる。よって、今どこにいるのかが判りやすく、安心して操作することができる。
【００７３】
次に、ナビゲーション装置１のＡＶ画面の表示モードについて説明する。図１０で示したように、ナビゲーション装置１のＡＶ画面には、ラジオモード、ＣＤモード、ｉＰｏｄモード、外部入力モード、及びオフモードの６つの画面が用意されている。映像処理機能部５７は、ＡＶ領域の左側に用意されている何れかのソース選択ボタン或いは「ＯＦＦ」ボタンが押されると、これに対応するモードのＡＶ操作画面を表示させる。映像処理機能部５７は、例えば、「ラジオ」ボタンが押されれば、図１１に示すようなラジオの周波数や選局ボタンを表示させる。ＣＤやｉＰｏｄボタンについても同様である。また、映像処理機能部５７は、「外部入力」ボタンが押されれば、ＡＶ領域に選局ボタン等を表示させると共に、ナビ領域の表示を外部音声／映像入力部８の映像に切り替える。但し、映像処理機能部５７は、ブレーキ検知部４がパーキングブレーキ信号の解除を検知した場合、放送波受信部７や外部音声／映像入力部８からの映像表示を止める。なお、放送波受信部７にワンセグチューナが含まれている場合には、ＡＶ画面にはワンセグモードが設けられ、「ワンセグ」ボタンが押されれば、ＡＶ領域に選局ボタン等を表示すると共に、ナビ領域の表示を放送波受信部７からの映像に切り替えるようにすればよい。
【００７４】
図１１に示されるマルチ画面（Ｄ１０２）及び図１３に示されるＡＶ全画面（Ｄ１０４）は、既存状態の画面である。ナビゲーション装置１を搭載するレンタカー会社は、メモ
リカードのカスタマイズ記憶エリアにお知らせデータを格納することにより、お知らせ画面を表示するための「お知らせ」ボタンをＡＶ通常領域に付加することができる。図１５は、「お知らせ」ボタンが付加されたマルチ画面（Ｄ１０２）の例を示す図である。図１５の例では、ＡＶ通常領域の「ＯＦＦ」ボタンの下の空き領域に「お知らせ」ボタンが表示されている。この場合、ＡＶ全画面（Ｄ１０４）においても同様の位置に「お知らせ」ボタンが表示される。
【００７５】
図１６は、マルチ画面及びＡＶ全画面の表示処理を示すフローチャートである。映像処理機能部５７は、マルチ画面（Ｄ１０２）又はＡＶ全画面（Ｄ１０４）を表示させる際には、初期処理機能部５０によりメモリカードから読み出され保持されたお知らせデータの存在を確認する（Ｓ１７１）。映像処理機能部５７は、お知らせデータが存在する場合には（Ｓ１７１；ＹＥＳ）、マルチ画面（Ｄ１０２）及びＡＶ全画面（Ｄ１０４）のＡＶ通常領域に「お知らせ」ボタンを表示させる（Ｓ１７２）。一方で、映像処理機能部５７は、お知らせデータが存在しない場合には（Ｓ１７１；ＮＯ）、「お知らせ」ボタンを表示させない、即ち、各画面を既存状態で表示させる（Ｓ１７３）。
【００７６】
図１７は、お知らせ画面の例を示す図である。マルチ画面（Ｄ１０２）及びＡＶ全画面（Ｄ１０４）のＡＶ通常領域に表示されている「お知らせ」ボタンが押されたことを操作処理機能部５１が検知すると、映像処理機能部５７は、図１７に示すようなお知らせ画面（Ｄ３０１）をタッチパネル２１に表示させる。映像処理機能部５７は、図１７に示すように、ＡＶ領域の「お知らせ」ボタンから立ち上がるように、お知らせ画面（Ｄ３０１）をポップアップ表示する。なお、ポップアップ表示とは、画面に表示されるボタンを押すと、そのボタンから立ち上がるように表示されることを示す。お知らせ画面（Ｄ３０１）は、初期処理機能部５０によりメモリカードから読み出され保持されているお知らせデータに基づいて生成される。お知らせデータは、お知らせ画面に表示される文字列情報を含むテキストファイルとして生成される。レンタカー会社の担当者は、お知らせ画面に表示させたい文字列を含むお知らせデータをパーソナルコンピュータ等により生成し、この生成されたデータをメモリカードに格納することで、所望のお知らせ画面を表示させることができる。逆に、お知らせ画面を表示させる必要のない場合には、お知らせデータをメモリカードに格納しなければよい。例えば、レンタカー会社は、レンタカー利用者から頻繁に問い合わせのある事項をこのお知らせ画面に表示させるようにすれば、利用者からの問い合わせを減らすことができる。
【００７７】
このように、ナビゲーション装置１によれば、装置として予め提供されていない新たな画面として、上述の利用規約画面のように自動で表示される画面を追加できるだけでなく、上記お知らせ画面のように所定ボタンの操作により表示されるような新たな画面を追加することもできる。この場合には、ユーザは、メモリカードにその画面に表示させるテキストデータを格納しさえすれば上記「お知らせ」ボタンを表示させることができ、かつそのボタンが操作された場合に所望のお知らせ画面を表示させることができる。
【００７８】
次に、ナビゲーション装置１のナビに関する画面について説明する。マルチ画面（Ｄ１０２）またはナビ全画面（Ｄ１０３）のナビ領域に表示されている「メニュー」ボタン、「目的地」ボタン、「周辺」ボタンがタッチパネル２１上で選択されたことを操作処理機能部５１が検知すると、映像処理機能部５７は、その選択されたボタンに対応する画面をタッチパネル２１上に表示させる。
【００７９】
図１８は、メニュー画面（Ｄ２０１）の例を示す図である。操作処理機能部５１により「メニュー」ボタンが押されたことが検知されると、映像処理機能部５７は、図１８に示すメニュー画面（Ｄ２０１）をタッチパネル２１に表示させる。映像処理機能部５７は、図１８に示すように、ナビ領域の「メニュー」ボタンから立ち上がるようにメニュー画面
（Ｄ２０１）をポップアップ表示する。ここで、映像処理機能部５７は、メニュー画面（Ｄ２０１）が「メニュー」ボタンから徐々に立ち上がるようにアニメーション表示し、更に、マルチ画面（Ｄ１０２）がメニュー画面（Ｄ２０１）の下側に見えるようにしている。このようなポップアップ表示とすることにより、ユーザは、メニュー画面がマルチ画面から遷移して表示されていることを視覚で容易に理解することが可能であり、安心して操作することができる。なお、メニュー画面（Ｄ２０１）には、アイコンや施設表示等のユーザ設定用ボタンや、お気に入り地点の編集用ボタンが表示される。ユーザが登録した地点情報等は、ユーザデータ処理機能部５５により、制御部２０内のＲＡＭに記憶される。
【００８０】
図１９及び２０は、目的地設定画面の例を示す図である。映像処理機能部５７は、「目的地」ボタンが押されたことを操作処理機能部５１が検知すると、目的地設定画面（Ｄ２０２）をタッチパネル２１に表示させる。目的地設定画面（Ｄ２０２）の表示手法は、上述のメニュー画面（Ｄ２０１）と同様である。目的地設定画面（Ｄ２０２）には、図１９及び２０に示されるように、複数の目的地選択方法に対応した複数のボタンが表示される。図１９及び２０は、目的地設定画面（Ｄ２０２）の右側に表示されるスクロールバー等を選択することにより切り替えられる。目的地選択方法としては、各ボタンに対応して、５０音、電話番号、住所、履歴、お気に入り、携帯連携、施設／ジャンル、先程の地図、マップコードを用いた選択方法が提供される。これら選択方法のうち、５０音、電話番号、住所、施設／ジャンル、マップコードを用いた選択方法では、メモリカード内の標準記憶エリアに格納されるＰＯＩデータ及びＰＯＩ詳細データが利用される。
【００８１】
映像処理機能部５７は、操作処理機能部５１が目的地設定用の何れかのボタンが押されたことを検知すると、これに対応する画面を表示させる。映像処理機能部５７は、例えば、「５０音で探す」ボタンが押されれば文字入力用の画面を表示し、「住所で探す」ボタンが押されれば都道府県等を選択する画面を表示し、「携帯連携で探す」ボタンが押されれば赤外線受／発光部２５に携帯電話を近づけるようユーザに促す画面を表示し、「履歴で探す」ボタンが押されれば過去に検索したことのある目的地を表示する。赤外線受／発光部２５によって携帯電話から供される通信データには、目的地の緯度や経度、或いは住所や電話番号といった位置情報が含まれている。これらいずれかの設定方法により目的地が設定されると、ルート案内機能部５３は、測位機能部５２が計測する自車位置と目的地までの最短ルートを索出し、ルートガイドを開始する。
【００８２】
図２１及び２２は、周辺施設検索画面の例を示す図である。映像処理機能部５７は、「周辺」ボタンが押されたことを操作処理機能部５１が検知すると、周辺施設検索画面（Ｄ２０３）をタッチパネル２１に表示させる。この表示方法は、上記目的地設定画面（Ｄ２０２）と同様のポップアップ表示である。周辺施設検索画面（Ｄ２０３）には、図２１及び２２に示されるように、検索対象の各カテゴリに対応した複数のボタンが表示される。図２１及び２２は、周辺施設検索画面（Ｄ２０３）の右側に表示されるスクロールバー等を選択することにより切り替えられる。検索対象のカテゴリとしては、各ボタンに対応して、ガソリンスタンド、コンビニ（コンビニエンスストア）、駐車場、ファミレス（ファミリーレストラン）、銀行、ファーストフード、その他施設が提供される。これら検索される各施設は、メモリカード内の標準記憶エリアに格納されるＰＯＩデータ及びＰＯＩ詳細データが利用される。映像処理機能部５７は、操作処理機能部５１が検索対象のカテゴリに対応するボタンが押されたことを検知すると、そのカテゴリに属する施設（ＰＯＩ）を自車位置に近い施設から順に索出してリスト表示させる。
【００８３】
上述したような目的地設定画面（Ｄ２０２）や周辺検索画面（Ｄ２０３）等で目的地が設定されると、ルート案内機能部５３によるルートガイドが開始される。ルート案内機能部５３は、測位機能部５２が計測する自車位置と、地図データ処理機能部５４がメモリカードから読み出す地図データとに基づいてルートの案内を行う。ルート案内機能部５３は
、右折あるいは左折等を行う交差点に車両が接近したら、図２３に示すような交差点拡大画面（Ｄ２０４）を表示すると共に、音声処理機能部５６に経路案内用の音声データを渡す。図２３は、交差点拡大画面（Ｄ２０４）の例を示す図である。図２３に示すように、ナビ領域には交差点の拡大図が表示され、車両の進むべき進路が矢印で図示される。なお、このとき、ＡＶ領域には、オーディオ／ビジュアル用の操作ボタン類が表示されている。
【００８４】
〈目的地設定時〉
次に、ナビゲーション装置１の目的地設定時の動作について説明する。ナビゲーション装置１は、目的地の設定方法として、上述したような目的地設定画面（Ｄ２０２）や周辺施設検索画面（Ｄ２０３）により設定する方法（以降、第１設定方法と表記する）と、マルチ画面（Ｄ１０２）やナビ全画面（Ｄ１０３）に表示されている「返却場所」ボタンが押されることにより予めレンタカーの返却先として登録されているレンタカー会社の営業所を目的地に設定する方法と、マルチ画面（Ｄ１０２）やナビ全画面（Ｄ１０３）のナビ領域に表示される地点アイコンを選択することによりその地点アイコンの示す地点を目的地に設定する方法（以降、第２設定方法と表記する）と、を提供する。これら方法により設定される目的地は、通常時には、メモリカードの標準記憶エリアに格納されるＰＯＩデータに含まれる１地点であり、ユーザデータ処理機能部５５により管理される。
【００８５】
本実施形態におけるナビゲーション装置１は、目的地として設定可能な地点をレンタカー会社等のユーザにより追加可能としている。レンタカー会社の担当者は、パーソナルコンピュータ等により追加したい地点情報（追加ＰＯＩデータ）を生成し、メモリカードのカスタマイズ記憶エリアに格納することで、ナビゲーション装置１上でこの追加した地点を目的地として選択可能とさせることができる。追加ＰＯＩデータは、追加される各地点について、緯度情報及び経度情報のＰＯＩデータと、施設名称、住所、電場番号、ジャンル名等のＰＯＩ詳細データとをそれぞれ含むように生成される。追加ＰＯＩデータは追加された各ＰＯＩのアイコンデータも含むように生成される。以下、メモリカードの標準記憶エリアに格納されるＰＯＩデータ及びＰＯＩ詳細データを標準ＰＯＩデータとも表記する。一般的には、標準ＰＯＩデータには、コンビニエンスストアやガソリンスタンド等のような一般ユーザが立ち寄り易い施設や、人気スポット等のような有名な施設や大規模な施設が地点情報として含まれる。よって、ユーザは、新設された施設やスポット、自社営業所等のようなマイナーな施設やスポットは標準ＰＯＩデータに含まれていないため、これらを目的地として設定したい場合にはそれら地点を追加ＰＯＩデータに含めればよい。
【００８６】
次に、開閉制御処理について説明する。開閉制御処理とは、本実施形態に係るナビゲーション装置１がレンタカー向けにカスタマイズされた機能の一つである。図２４は、開閉制御処理を示すフローチャートである。初期処理機能部５０は、初期化処理の一部としてカードメモリインターフェース１７が正常に動作していることを確認すると、そのカードメモリインターフェース１７にメモリカードが挿入されているか否かを確認する（Ｓ５０１）。この確認は、例えば、メモリカード内の標準記憶エリアにアクセス可能か否かで判断される。初期処理機能部５０は、メモリカードが挿入されていないと判断すると（Ｓ５０１；ＮＯ）、その旨を示すコーション画面を表示する（Ｓ５０３）。
【００８７】
初期処理機能部５０は、メモリカードが挿入されていると判断すると（Ｓ５０１；ＹＥＳ）、メモリカードのカスタマイズ記憶エリアに操作割り当て操作ボタンに割り当てられている機能を更新する操作割り当て更新データが格納されているか否かを確認する（Ｓ５０２）。初期処理機能部５０は、メモリカードに操作割り当て更新データが格納されていると判断すると（Ｓ５０２；ＹＥＳ）、その操作割り当て更新データをメモリカードから読み出し、その旨を操作処理機能部５１へ報告する（Ｓ５０４）。一方、初期処理機能部５０は、メモリカードに更新オープニング画面データが格納されていないと判断すると（
Ｓ５０２；ＮＯ）、予めＲＯＭに格納されている既存の操作割り当てデータを取得する（Ｓ５０５）。
【００８８】
続いて、操作処理機能部５１は、操作割り当てデータに基づいて、開閉ボタン２４ａに対して本来的に割り当てられていた機能を制限すると共に、新たな機能を割り当てる（５０６）。ここで、図２５は、操作割り当てデータの一例を示す。同図に示すように、本態様では、ソフトボタンにおけるＦｕｌｌ  ＯＰＥＮボタンの機能が制限され、換言すると、タッチパネル上の画面表示が消去され、機械ボタンとしての開閉ボタン２４ａの長押しにフルオープンが割り当てられている。これにより、レンタカーの使用者は、開閉操作画面からのフルオープン操作ができないことから、カード挿入口２８が隠れた状態となる。その結果、カード挿入口２８へ挿入されているメモリカードの盗難を抑制することが可能となる。一方、ナビゲーション装置１のハード構成は、レンタカー用と印消費者向けとで共通化することができる。
【００８９】
なお、操作割り当てデータは、あくまで一例にすぎず、操作処理部５１による本来的に割り当てられている機能の制限及び新たな機能の割り当ては、ナビゲーション装置１の操作ボタン（機械的ボタン及びタッチパネルに表示されるソフトボタン）を可能な限り組み合わせることができる。例えば、上記態様では、長押しに新たな機能を割り当てたがこれに限定されない。例えば、開閉ボタン２４ａを所定回数押した場合に、フルオープン可能とする、開閉ボタン２４ａ＋現在地ボタン２４ｂを押した場合に、フルオープン可能とするようにしてもよい。また、例えば、タッチパネル上でパスワードを要求するようにしてもよい。
【００９０】
ここで、図２６Ａは、操作割り当て更新データに基づいて更新された開閉操作画面である。また、図２６Ｂは、図２６Ａの比較例としての、更新前の操作画面を示す。これらの図に示すように、本態様では、ソフトボタンとしてのＦｕｌｌ  ＯＰＥＮボタンの機能が制限され、換言すると、タッチパネル上の画面表示が消去されている。
【００９１】
次に、操作処理機能部５１は、更新後の操作割り当てに対応する操作部の制御を実行する（５０７）。すなわち、操作処理機能部５１は、開閉ボタン２４ａが長押しされた場合に、「フルオープン」状態とする。
【００９２】
なお、操作割り当てデータは、レンタカー会社の担当者が、パーソナルコンピュータ上で生成し、この生成されたデータをメモリカードに格納することで、本来的に割り当てられている機能を制限し、又は新たな機能を割り当てることができる。なお、上述した態様では、メモリカードによって更新を行えることとして説明したが、ナビゲーション装置１側で変更できるようにしてもよい。
【００９３】
以上により、ナビゲーション装置１のハード構成に変更を加えることなく、ナビゲーション装置に収容される可搬型記録媒体の持ち出しを制限することが可能となる。
【００９４】
〔変形例〕
上述の実施形態では、ナビゲーション装置１がレンタカーに搭載される場合を例に挙げたため、マルチ画面（Ｄ１０２）及びナビ全画面（Ｄ１０３）のナビ領域において「返却場所」ボタンが表示される例を示したが、ナビゲーション装置１の搭載される車輌の用途に応じて、この「返却場所」ボタンに替え「自宅」ボタンや「帰社」ボタン等を表示するようにしてもよい。
【００９５】
また、上述の実施形態では、ユーザによりカスタマイズ可能なＰＯＩデータとして追加ＰＯＩデータとしたが、標準ＰＯＩデータに含まれる地点情報に変更があった場合に対応
するために更新ＰＯＩデータとしてもよい。この場合、標準ＰＯＩデータ及び更新ＰＯＩデータにその地点に存在する施設（スポット）を識別するための施設識別情報（以降、施設ＩＤと表記する）をそれぞれ含める。すなわち、更新ＰＯＩデータに新たな施設やスポットを追加したい場合にはパーソナルコンピュータ等で新たな施設ＩＤを付与し、標準ＰＯＩデータに既に含まれる施設の位置や施設名称を変更したい場合には既に標準ＰＯＩデータで利用されている施設ＩＤを用いて更新ＰＯＩデータにその地点情報を設定する。
【図面の簡単な説明】
【００９６】
【図１】ナビゲーション装置の外観図。
【図２】ナビゲーション装置の構成図。
【図３】ディスプレイの動作を示す図。
【図４】制御部が実現する各種諸機能を示す機能ブロック図。
【図５】ナビゲーション装置の起動時の処理を示すフローチャート。
【図６】オープニング画面が変更される概念を示す図。
【図７】利用規約画面の例を示す図。
【図８】ナビゲーション装置のメイン画面の画面遷移図。
【図９】ナビの画面遷移図。
【図１０】ＡＶ画面の表示モードを示す図。
【図１１】マルチ画面の例を示す図。
【図１２】ナビ全画面の例を示す図。
【図１３】ＡＶ全画面の例を示す図。
【図１４】メイン画面の画面遷移を示す概念図。
【図１５】「お知らせ」ボタンが付加されたマルチ画面の例を示す図。
【図１６】マルチ画面及びＡＶ全画面の表示処理を示すフローチャート。
【図１７】お知らせ画面の例を示す図。
【図１８】メニュー画面の例を示す図。
【図１９】目的地設定画面の例を示す図。
【図２０】目的地設定画面の例を示す図。
【図２１】周辺施設検索画面の例を示す図。
【図２２】周辺施設検索画面の例を示す図。
【図２３】交差点拡大画面の例を示す図。
【図２４】開閉制御処理を示すフローチャート。
【図２５】操作割り当てデータの一例を示す図。
【図２６Ａ】操作割り当て更新データに基づいて更新された開閉操作画面。
【図２６Ｂ】図２６Ａの比較例としての、更新前の操作画面。
【符号の説明】
【００９７】
１・・・ナビゲーション装置
２・・・メインユニット
３・・・ディスプレイユニット
１７・・カードメモリインターフェース
２０・・制御部
２１・・タッチパネル
２２・・表示処理部
２３・・操作受付部
２８・・カード挿入口
５０・・初期処理機能部
５１・・操作処理機能部
５２・・測位機能部
５３・・ルート案内機能部
５４・・地図データ処理機能部
５５・・ユーザデータ処理機能部
５６・・音声処理機能部
５７・・映像処理機能部
【図１】
2010085207.tif 000003
【図２】
2010085207.tif 000004
【図３】
2010085207.tif 000005
【図４】
2010085207.tif 000006
【図５】
2010085207.tif 000007
【図６】
2010085207.tif 000008
【図７】
2010085207.tif 000009
【図８】
2010085207.tif 000010
【図９】
2010085207.tif 000011
【図１０】
2010085207.tif 000012
【図１１】
2010085207.tif 000013
【図１２】
2010085207.tif 000014
【図１３】
2010085207.tif 000015
【図１４】
2010085207.tif 000016
【図１５】
2010085207.tif 000017
【図１６】
2010085207.tif 000018
【図１７】
2010085207.tif 000019
【図１８】
2010085207.tif 000020
【図１９】
2010085207.tif 000021
【図２０】
2010085207.tif 000022
【図２１】
2010085207.tif 000023
【図２２】
2010085207.tif 000024
【図２３】
2010085207.tif 000025
【図２４】
2010085207.tif 000026
【図２５】
2010085207.tif 000027
【図２６Ａ】
2010085207.tif 000028
【図２６Ｂ】
2010085207.tif 000029